(57)【要約】【課題】書き込み期間での書き込み動作の信頼性を向上することができ、書き込み不良に起因すると考えられる画質の劣化を抑制することができるプラズマディスプレイパネルの駆動方法を提供することを目的とする。【解決手段】１フィールドが、全ての放電セルを点灯状態とするための初期化動作を行う初期化期間と、放電セルの点灯もしくは非点灯を設定する書き込み期間を有するサブフィールドとを備え、非点灯に設定する場合には、走査電極とデータ電極とに、互いに逆極性である電圧パルスを印加し、且つ維持電極には、走査電極との電位差を大きくする極性の第１の電圧パルスである電圧Ｖｈ（Ｖ）を印加する。【選択図】  図４
2004170587.tif 000002
【特許請求の範囲】
【請求項１】
１フィールドが、全ての放電セルを点灯状態とするための初期化動作を行う初期化期間と、放電セルの点灯もしくは非点灯を設定する書き込み期間を有するサブフィールドとを備え、非点灯に設定する場合には、走査電極とデータ電極とに、互いに逆極性である電圧パルスを印加し、且つ維持電極には、走査電極との電位差を大きくする極性の第１の電圧パルスを印加するプラズマディスプレイパネルの駆動方法。
【請求項２】
サブフィールドが、書き込み期間の後に維持期間をさらに有し、その維持期間において、点灯状態に設定した放電セルの維持放電を行う請求項１に記載のプラズマディスプレイパネルの駆動方法。
【請求項３】
第１の電圧パルスは、データ電極に対して放電開始電圧以下である請求項１または２に記載のプラズマディスプレイパネルの駆動方法。
【請求項４】
第１の電圧パルスは、データ電極に電圧パルスが印加されていない状態において、走査電極に対して放電開始電圧以下である請求項１または２に記載のプラズマディスプレイパネルの駆動方法。
【請求項５】
第１の電圧パルスの立ち上がり部分は、初期化期間において維持電極に印加される初期化パルスの立ち上がり部分と共通である請求項３または４に記載のプラズマディスプレイパネルの駆動方法。
【請求項６】
第１の電圧パルスの立ち上がり部分は、ランプ形状である請求項５に記載のプラズマディスプレイパネルの駆動方法。
【請求項７】
第１の電圧パルスの立ち上がり部分は、異なる変化率の複数のランプ形状を有する請求項５に記載のプラズマディスプレイパネルの駆動方法。
【請求項８】
第１の電圧パルスの立ち上がり部分は、指数関数的に変化する請求項５に記載のプラズマディスプレイパネルの駆動方法。
【発明の詳細な説明】
【０００１】
【発明の属する技術分野】
本発明は、放電を制御することにより画像を表示するプラズマディスプレイパネルの駆動方法に関するものである。
【０００２】
【従来の技術】
図１０は、プラズマディスプレイパネル（以下、ＰＤＰという）の概略構成を示す一部断面斜視図である。図１０に示すように、第１のガラス基板１上には誘電体層２および保護膜３で覆われた走査電極４と維持電極５とが対を成して互いに平行に付設されている。第２のガラス基板６上には絶縁体層７で覆われたデータ電極８が付設され、データ電極８の間の絶縁体層７上にデータ電極と平行して隔壁９が設けられている。また、絶縁体層７の表面から隔壁９の側面にかけて蛍光体１０が設けられ、走査電極４および維持電極５とデータ電極８とが直交するように第１のガラス基板１と第２のガラス基板６とが放電空間１１を挟んで対向して配置されている。そして、隣接する２つの隔壁９に挟まれ、データ電極８と対向する走査電極４と維持電極５との交差部の放電空間には放電セル１２が構成されている。
【０００３】
図１１は、このＰＤＰの電極配列およびこのＰＤＰを用いたプラズマディスプレイ表示装置の概略構成を示すブロック図である。図１１に示すように、このＰＤＰ１００の電極配列はＭ×Ｎのマトリックス構成である。すなわち、列方向にはＭ列のデータ電極８であるＤ（１）〜Ｄ（Ｍ）が配列されており、行方向にはＮ行の走査電極４であるＳＣＮ（１）〜ＳＣＮ（Ｎ）および維持電極５であるＳＵＳ（１）〜ＳＵＳ（Ｎ）が配列されている。そして、データ電極８であるＤ（１）〜Ｄ（Ｍ）はデータドライバ２００と接続されており、走査電極４であるＳＣＮ（１）〜ＳＣＮ（Ｎ）は走査ドライバ３００と接続されており、維持電極５であるＳＵＳ（１）〜ＳＵＳ（Ｎ）は維持ドライバ４００が接続されている。そして、走査電極４および維持電極５とデータ電極８との交差する部分に放電セル１２が形成されている。
【０００４】
図１２に、ＰＤＰの駆動に関して１フィールドにおける駆動時間割構成を示す。１フィールドは初期化期間と、複数の、例えば８つのサブフィールドとを備え、これらのサブフィールドはそれぞれ書き込み期間および維持期間を有する。
【０００５】
このＰＤＰを駆動するための従来の駆動方法における駆動電圧の波形を図１３に示す。この駆動方法は１フィールドをフィールドの始めにある初期化期間とそれに続く複数のサブフィールドで構成しており、またこれらのサブフィールドはそれぞれ書き込み期間およびそれに続く維持期間で構成されている。以下にこの従来の駆動方法における初期化期間の初期化動作、書き込み期間の書き込み動作および維持期間の発光維持動作について図１３を用いて説明する。
【０００６】
図１３に示すように、初期化期間の初期化動作において、全てのデータ電極８であるＤ（１）〜Ｄ（Ｍ）を０（Ｖ）に保持し、全ての走査電極４であるＳＣＮ（１）〜ＳＣＮ（Ｎ）には全てのデータ電極８であるＤ（１）〜Ｄ（Ｍ）に対して電圧０（Ｖ）から放電開始電圧を超える電圧に向かって緩やかに上昇するランプ電圧Ｖｃ（Ｖ）を印加する。また全ての維持電極５であるＳＵＳ（１）〜ＳＵＳ（Ｎ）には電圧Ｖｃ（Ｖ）とは極性が反対の電圧Ｖｕ（Ｖ）の電圧パルスを少なくとも全ての走査電極４であるＳＣＮ（１）〜ＳＣＮ（Ｎ）に対して放電開始電圧を超える電圧に向かって緩やかに下降するランプ電圧を印加する。それぞれのランプ電圧が印加されている間に、全ての放電セル１２において全ての走査電極４であるＳＣＮ（１）〜ＳＣＮ（Ｎ）と全てのデータ電極８であるＤ（１）〜Ｄ（Ｍ）および全ての維持電極５であるＳＵＳ（１）〜ＳＵＳ（Ｎ）との間にそれぞれ微弱な初期化放電が起こり、走査電極ＳＵＳ（１）〜ＳＵＳ（Ｎ）上の保護膜３の表面に負の壁電荷が蓄積されるとともに、データ電極８であるＤ（１）〜Ｄ（Ｍ）上の絶縁体層７の表面および維持電極５であるＳＵＳ（１）〜ＳＵＳ（Ｎ）上の保護膜３の表面には正の壁電荷が蓄積される。これにより全ての放電セル１２は後続の維持期間において発光状態が維持される発光セルとなる。以上により初期化期間の初期化動作が終了する。
【０００７】
次に書き込み期間における書き込み動作について説明する。図１３に示すように、書き込み期間の書き込み動作において、全ての走査電極４であるＳＣＮ（１）〜ＳＣＮ（Ｎ）をＶｇ（Ｖ）に、また全ての維持電極５であるＳＵＳ（１）〜ＳＵＳ（Ｎ）を０（Ｖ）に保持し、データ電極８であるＤ（１）〜Ｄ（Ｍ）のうち、第一行目に書き込み動作を行う放電セル１２に対応する所定のデータ電極に正の書き込みパルス電圧Ｖｄ（Ｖ）を第一行目の走査電極４であるＳＣＮ（１）に走査パルス電圧Ｖａ（Ｖ）をそれぞれ印加する。このとき、所定のデータ電極８と走査電極４であるＳＣＮ（１）との交差部における絶縁体層７の表面と走査電極４であるＳＣＮ（１）上の保護膜３の表面との間の電圧は、書き込みパルス電圧Ｖｄ（Ｖ）に所定のデータ電極上の絶縁体層７の表面の正の壁電圧が加算されたものと走査パルス電圧Ｖａ（Ｖ）に走査電極４であるＳＣＮ（１）上の保護膜３の表面の負の壁電荷が加算されたものの加算になるため、この交差部において所定のデータ電極と走査電極４であるＳＣＮ（１）との間に放電が起こり、また維持電極５であるＳＵＳ（１）と走査電極４であるＳＣＮ（１）との間の電圧は、維持電極５であるＳＵＳ（１）上の保護膜３の表面の正の壁電荷と走査パルス電圧Ｖａ（Ｖ）に走査電極４であるＳＣＮ（１）上の保護膜３の表面の負の壁電荷が加算されたものの加算になるため、走査電極４であるＳＣＮ（１）と維持電極５であるＳＵＳ（１）との間にも放電が起こる。これにより、走査電極４であるＳＣＮ（１）上の保護膜３表面に蓄積されていた正電圧および維持電極５であるＳＵＳ（１）上の保護膜３表面に蓄積されていた負電圧は弱められ、また書き込み放電が起こったデータ電極上の絶縁体層７の表面に蓄積されていた正の電圧も同様に弱められる。すなわち、書き込み動作が行われた放電セル１２は初期化期間での初期化動作によって蓄積された壁電化が消去されるため後続の維持期間では発光維持動作がされない非発光セルとなる。データ電極８であるＤ（１）〜Ｄ（Ｍ）のうち、第二行目以降も初期化期間に各電極に蓄積された壁電荷を消去したい、すなわち所定の放電セル１２を非発光セルとする場合には同様な動作が引き続いて行われ、最後にデータ電極８であるＤ（１）〜Ｄ（Ｍ）のうち、第Ｎ行目に表示すべき放電セル１２に対応する所定のデータ電極に正の書き込みパルス電圧Ｖｄ（Ｖ）を第Ｎ行目の走査電極４であるＳＣＮ（Ｎ）に走査パルス電圧Ｖａ（Ｖ）をそれぞれ印加する。また、書き込み期間においてデータ電極８に正の書き込みパルス電圧Ｖｄ（Ｖ）を印加しない放電セル１２に関しては、初期化期間に各電極に蓄積された壁電荷を維持して、後続の維持期間に移行する。以上により書き込み期間における書き込み動作が終了する。
【０００８】
次に、維持期間における発光維持動作について以下に説明する。書き込み動作に続く維持期間において、まず全ての走査電極４であるＳＣＮ（１）〜ＳＣＮ（Ｎ）および維持電極５であるＳＵＳ（１）〜ＳＵＳ（Ｎ）を０（Ｖ）に保持した後、全ての維持電極５であるＳＵＳ（１）〜ＳＵＳ（Ｎ）に正の維持パルス電圧Ｖｓ（Ｖ）を印加すると、書き込み放電を行っていない放電セル１２における走査電極４上の保護膜３の表面と維持電極５上の保護膜３の表面との間の電圧は、維持パルス電圧Ｖｓ（Ｖ）に、初期化期間において蓄積された維持電極５上の保護膜３の正の壁電圧および走査電極４上の保護膜３の表面に蓄積された負の壁電圧が加算されたものになり、これは放電開始電圧を超える。このため、書き込み放電を起こした放電セル１２において、走査電極４と維持電極５との間に維持放電が起こり、この維持放電を起こした放電セル１２における維持電極５上の保護膜３の表面には負の壁電圧が蓄積され、走査電極４上の保護膜３の表面には正の壁電圧が蓄積される。その後、維持パルス電圧は０（Ｖ）に戻る。続いて、全ての走査電極４であるＳＣＮ（１）〜ＳＣＮ（Ｎ）に正の維持パルス電圧Ｖｓ（Ｖ）を印加すると、維持放電を起こした放電セル１２における走査電極４上の保護膜３の表面と維持電極５上の保護膜３の表面との間の電圧は、維持パルス電圧Ｖｓ（Ｖ）に、直前の維持放電によって蓄積された維持電極５上の保護膜３の表面の負の壁電圧および走査電極４上の保護膜３の表面に蓄積された正の壁電圧が加算されたものになる。このため、直前に維持放電を起こした放電セル１２において、走査電極４と維持電極５との間に維持放電が起こり、この維持放電を起こした放電セル１２における維持電極５上の保護膜３の表面には正の壁電圧が蓄積され、走査電極４上の保護膜３の表面には負の壁電圧が蓄積される。その後、維持パルス電圧は０（Ｖ）に戻る。以降同様に、全ての走査電極４であるＳＣＮ（１）〜ＳＣＮ（Ｎ）と全ての維持電極５であるＳＵＳ（１）〜ＳＵＳ（Ｎ）とに正の維持パルス電圧Ｖｓ（Ｖ）を交互に印加することにより、維持放電が継続して行われる。発光維持動作の最後は全ての走査電極４であるＳＣＮ（１）〜ＳＣＮ（Ｎ）に正の維持パルス電圧Ｖｓ（Ｖ）を印加し、走査電極４と維持電極５との間に維持動作を行い、放電セル１２における維持電極５上の保護膜３の表面には正の壁電圧が蓄積され、走査電極４上の保護膜３の表面には負の壁電圧が蓄積されることで全ての発光維持動作を終了する。したがって後続のサブフィールドにおいても書き込み動作または発光維持動作を同様に行うことができる。また書き込み期間において書き込み動作を行った放電セル１２においては初期化期間において各電極に蓄積された壁電荷が十分弱められているため、全ての維持電極５であるＳＵＳ（１）〜ＳＵＳ（Ｎ）または全ての走査電極４であるＳＣＮ（１）〜ＳＣＮ（Ｎ）に正の維持パルス電圧Ｖｓ（Ｖ）を印加した場合でも、放電セル１２における走査電極４上の保護膜３の表面と維持電極５上の保護膜３の表面との間の電圧は放電開始電圧を超えないため、維持放電は起こらない。またこのように書き込み期間において書き込み動作を行った場合は、次に初期化動作を行うまで発光維持動作を行うことはない（例えば、非特許文献１参照）。
【０００９】
図１４に、図１３に示す動作により駆動を行うＰＤＰでの階調表現方法を示す。ＰＤＰは発光に際して放電現象を利用しているため、放電セル１２は点灯および非点灯の２つの状態しか持たない。従って中間調の階調表現を行うために１フィールドを複数のサブフィールドに分割し、それぞれのサブフィールドに発光輝度に対応した重み付けを行い、各フィールド毎に発光の有無を制御することで階調表現をしている。例えば図１４に示すように、１フィールドを８つのサブフィールドに分割し、それぞれのサブフィールドＳＦ１からＳＦ８の発光輝度の重みを「１」、「２」、「４」、「８」、「１６」、「３２」、「６４」、「１２８」として配置する。階調「３」を表現する場合、ＳＦ１、ＳＦ２においては書き込み期間において書き込み動作を行わず、ＳＦ３における書き込み期間において書き込み動作を行う。これにより、ＳＦ１およびＳＦ２においてのみサブフィールドそれぞれの重みである「１」および「２」に相当する発光維持動作が行われ、階調「３」が表現される。また階調「１５」を表現する場合は、ＳＦ５においてのみ書き込み動作を行うことで階調「１５」に相当する発光維持動作が行われる。
【００１０】
【非特許文献１】
ＮＧＵＹＥＮ  ＴＨＡＮＨ  ＮＨＡＮ  他２名、「２５型ＳＸＧＡ高精細カラーＰＤＰのセル構造および駆動方式」、ＦＵＪＩＴＳＵ（雑誌富士通）、４９、３（０５、１９９８）
【００１１】
【発明が解決しようとする課題】
しかし、書き込み期間において書き込み動作を行う場合に、初期化期間の初期化動作によって各電極に十分な壁電荷が蓄積できなかった場合、または初期化期間または維持期間から時間的に遠く、放電ガスの活性状態が時間の経過に伴って弱まるために初期化動作または発光維持動作の直後に比べて徐々に放電し難い状態となる場合には、正常な書き込み動作を行うことができず、初期化動作または発光維持動作により各電極蓄積された壁電荷を十分弱めることができないまま後続の維持期間に移行してしまう場合がある。この場合、後続の維持期間において維持電極５または走査電極４に維持パルス電圧Ｖｓ（Ｖ）を印加することにより、維持電極５または走査電極４の間の電圧が放電開始電圧を超えてしまい発光維持動作が行われてしまう場合がある。そのため、本来表現したい階調よりも大きな階調となってしまい、階調が正常に表現できない場合がある。また、このような書き込み動作不良が１フィールドの最初に配置されたサブフィールドにおいて起こった場合、本来所定の放電セル１２を黒として表現する場合であっても明点になってしまい、画質を大きく劣化させてしまうという問題があった。
【００１２】
本発明は上記の課題に鑑みてなされたものであり、書き込み期間での書き込み動作の信頼性を向上することにより、書き込み不良に起因すると考えられる画質の劣化を抑制することができるプラズマディスプレイパネルの駆動方法を提供することを目的とする。
【００１３】
【課題を解決するための手段】
上記の目的を実現するために本発明のプラズマディスプレイパネルの駆動方法は、１フィールドが、全ての放電セルを点灯状態とするための初期化動作を行う初期化期間と、放電セルの点灯もしくは非点灯を設定する書き込み期間を有するサブフィールドとを備え、非点灯に設定する場合には、走査電極とデータ電極とに、互いに逆極性である電圧パルスを印加し、且つ維持電極には、走査電極との電位差を大きくする極性の第１の電圧パルスを印加するというものである。
【００１４】
【発明の実施の形態】
すなわち、本発明の請求項１に記載の発明は、１フィールドが、全ての放電セルを点灯状態とするための初期化動作を行う初期化期間と、放電セルの点灯もしくは非点灯を設定する書き込み期間を有するサブフィールドとを備え、非点灯に設定する場合には、走査電極とデータ電極とに、互いに逆極性である電圧パルスを印加し、且つ維持電極には、走査電極との電位差を大きくする極性の第１の電圧パルスを印加するプラズマディスプレイパネルの駆動方法である。
【００１５】
また、請求項２に記載の発明は、請求項１に記載の発明において、サブフィールドが、書き込み期間の後に維持期間をさらに有し、その維持期間において、点灯状態に設定した放電セルの維持放電を行うというものである。
【００１６】
また、請求項３に記載の発明は、請求項１または２に記載の発明において、第１の電圧パルスは、データ電極に対して放電開始電圧以下であるというものである。
【００１７】
また、請求項４に記載の発明は、請求項１または２に記載の発明において、第１の電圧パルスは、データ電極に電圧パルスが印加されていない状態において、走査電極に対して放電開始電圧以下であるというものである。
【００１８】
また、請求項５に記載の発明は、請求項３または４に記載の発明において、第１の電圧パルスの立ち上がり部分は、初期化期間において維持電極に印加される初期化パルスの立ち上がり部分と共通であるというものである。
【００１９】
これにより、初期化期間の初期化動作によって各電極に十分な壁電荷が蓄積できなかった場合、または初期化期間または維持期間から時間的に遠く、放電ガスの活性状態が時間の経過に伴って弱まるために初期化動作または発光維持動作の直後に比べて徐々に放電し難い状態となる場合でも、第１の行電極と第２の行電極との間の電圧差を大きくすることができるため、第１の行電極と第２の行電極との間の放電を容易にし、書き込み不良、また書き込み不良による画質劣化を防止することができる。
【００２０】
また、請求項６に記載の発明は、請求項５に記載の発明において、第１の電圧パルスの立ち上がり部分は、ランプ形状であるというものである。
【００２１】
また、請求項７に記載の発明は、請求項５に記載の発明において、第１の電圧パルスの立ち上がり部分は、異なる変化率の複数のランプ形状を有するというものである。
【００２２】
これにより、第１の電圧パルスを印加した際に第１の行電極と第２の行電極との間、または第２の行電極と列電極との間の電圧が放電開始電圧を超え誤放電が起きた場合でも、その放電を微弱なものにできるため強放電がおきた場合に比べて発光輝度の誤差またはコントラストの劣化による画質の劣化を防ぐことができる。
【００２３】
また、請求項８に記載の発明は、請求項５に記載の発明において、第１の電圧パルスの立ち上がり部分は、指数関数的に変化するというものである。
【００２４】
これにより、ランプ電圧を印加する場合に比べて回路規模を小さくできるためシステムの構成を簡素化または安価にすることができる。
【００２５】
以下、本発明の一実施の形態によるＰＤＰの駆動方法について、図１〜図９を参照しながら説明する。なお、図１０〜図１４に示したものと同一のものには同じ番号を付している。
【００２６】
図１は、本実施の形態によるＰＤＰの駆動方法により駆動されるＰＤＰの概略構成を示す一部断面斜視図である。図１に示すように、第１のガラス基板１上には誘電体層２および保護膜３で覆われた走査電極４と維持電極５とが対を成して互いに平行に付設されている。第２のガラス基板６上には絶縁体層７で覆われたデータ電極８が付設され、データ電極８の間の絶縁体層７上にデータ電極と平行して隔壁９が設けられている。また、絶縁体層７の表面から隔壁９の側面にかけて蛍光体１０が設けられ、走査電極４および維持電極５とデータ電極８とが直交するように第１のガラス基板１と第２のガラス基板６とが放電空間１１を挟んで対向して配置されている。そして、隣接する２つの隔壁９に挟まれ、データ電極８と対向する走査電極４と維持電極５との交差部の放電空間が放電セル１２として動作する。
【００２７】
図２は、このＰＤＰの電極配列およびこのＰＤＰを用いたプラズマディスプレイ表示装置の概略構成を示すブロック図である。図２に示すように、このＰＤＰ１００の電極配列はＭ×Ｎのマトリックス構成である。すなわち、列方向にはＭ列のデータ電極８であるＤ（１）〜Ｄ（Ｍ）が配列されており、行方向にはＮ行の走査電極４であるＳＣＮ（１）〜ＳＣＮ（Ｎ）および維持電極５であるＳＵＳ（１）〜ＳＵＳ（Ｎ）が配列されている。そして、データ電極８であるＤ（１）〜Ｄ（Ｍ）はデータドライバ２００と接続されており、走査電極４であるＳＣＮ（１）〜ＳＣＮ（Ｎ）は走査ドライバ３００と接続されており、維持電極５であるＳＵＳ（１）〜ＳＵＳ（Ｎ）は維持ドライバ４００が接続されている。放電セル１２は、走査電極４および維持電極５とデータ電極８との交差する部分である。
【００２８】
ここで、サブフィールド変換手段５００は、映像データの入力側からデータドライバ２００に接続されている。走査ドライバ３００はプラズマディスプレイパネル１００の全放電セル１２において安定した初期化放電、書き込み放電および発光維持放電を行うことができるように、初期化期間および各サブフィールドの書き込み期間および維持期間において、それぞれ初期化動作用、書き込み動作用および維持動作用パルスを発生する。また、維持ドライバ４００はプラズマディスプレイパネル１００の全放電セル１２において安定した初期化放電、書き込み放電および発光維持放電を行うことができるように、初期化期間および各サブフィールドの書き込み期間および維持期間において、それぞれ初期化動作用、書き込み動作用および維持動作用パルスを発生する。また、サブフィールド変換手段５００は階調に応じて書き込みを行うサブフィールドを決定しデータドライバ２００に出力する。
【００２９】
また、データドライバ２００はプラズマディスプレイパネル１００の全放電セル１２において書き込み放電を行うことができるように、各サブフィールドの書き込み期間にサブフィールド変換手段５００を介して入力される映像信号に応じて、オンまたはオフする書き込み電圧パルスを発生する。これにより、所定の放電セル１２において初期化動作、書き込み動作および発光維持動作が行われ、プラズマディスプレイパネル１００に映像が映し出される。
【００３０】
次に、ＰＤＰの駆動に関して、１フィールドにおける駆動時間割構成を図３に示す。１フィールドは、初期化期間と、複数の、例えば８つのサブフィールドとを備え、これらのサブフィールドはそれぞれ書き込み期間および維持期間を有する。
【００３１】
本発明の一実施の形態によるＰＤＰの駆動方法における駆動電圧の波形を図４に示す。この駆動方法は、図３にも示したように、１フィールドを、例えばフィールドの始めにある初期化期間と、それに続く複数のサブフィールドとを備えたものであり、また、これらのサブフィールドはそれぞれ書き込み期間とそれに続く維持期間とを有する。
【００３２】
以下、図４を用いて、本発明の一実施の形態による駆動方法における、初期化期間の初期化動作、書き込み期間の書き込み動作および維持期間の発光維持動作について説明する。
【００３３】
図４に示すように、初期化期間の初期化動作において、データドライバ２００によってデータ電極８を０（Ｖ）に保持し、走査ドライバ３００により走査電極４にはデータ電極８に対して電圧０（Ｖ）から放電開始電圧を超える電圧に向かって緩やかに上昇するランプ電圧Ｖｃ（Ｖ）を印加する。また、維持電極５には維持ドライバ４００によって電圧Ｖｃ（Ｖ）とは極性が反対の電圧Ｖｕ（Ｖ）の電圧パルスを走査電極４に対して放電開始電圧を超える電圧に向かって緩やかに下降するランプ電圧を印加する。それぞれのランプ電圧が印加されている間に、全ての放電セル１２において走査電極４とデータ電極８および維持電極４との間にそれぞれ微弱な初期化放電が起こり、走査電極４上の保護膜３の表面に負の壁電荷が蓄積されるとともに、データ電極８上の絶縁体層７の表面および維持電極５上の保護膜３の表面には正の壁電荷が蓄積されることで、点灯状態となる。
【００３４】
また、維持期間における発光維持動作は、まず走査ドライバ３００および維持ドライバ４００によって走査電極４および維持電極５をそれぞれ０（Ｖ）に保持した後、維持ドライバ４００によって維持電極５に正の維持パルス電圧Ｖｓ（Ｖ）を印加すると、書き込み期間において書き込み放電を行っていない放電セル１２における走査電極４上の保護膜３の表面と維持電極５上の保護膜３の表面との間の電圧は、維持パルス電圧Ｖｓ（Ｖ）に、初期化期間において蓄積された維持電極５上の保護膜３の正の壁電圧および走査電極４上の保護膜３の表面に蓄積された負の壁電圧が加算されたものになり、これは放電開始電圧を超える。このため、書き込み放電を起こした放電セル１２において、走査電極４と維持電極５との間に維持放電が起こり、この維持放電を起こした放電セル１２における維持電極５上の保護膜３の表面には負の壁電圧が蓄積され、走査電極４上の保護膜３の表面には正の壁電圧が蓄積される。その後、維持パルス電圧は０（Ｖ）に戻る。続いて、走査ドライバ３００によって走査電極４に正の維持パルス電圧Ｖｓ（Ｖ）を印加すると、維持放電を起こした放電セル１２における走査電極４上の保護膜３の表面と維持電極５上の保護膜３の表面との間の電圧は、維持パルス電圧Ｖｓ（Ｖ）に、直前の維持放電によって蓄積された維持電極５上の保護膜３の表面の負の壁電圧および走査電極４上の保護膜３の表面に蓄積された正の壁電圧が加算されたものになる。このため、直前に維持放電を起こした放電セル１２において、走査電極４と維持電極５との間に維持放電が起こり、この維持放電を起こした放電セル１２における維持電極５上の保護膜３の表面には正の壁電圧が蓄積され、走査電極４上の保護膜３の表面には負の壁電圧が蓄積される。その後、維持パルス電圧は０（Ｖ）に戻る。以降同様に、走査電極４と維持電極５とに正の維持パルス電圧Ｖｓ（Ｖ）を交互に印加することにより、維持放電が継続して行われる。発光維持動作の最後は走査電極４に正の維持パルス電圧Ｖｓ（Ｖ）を印加し、走査電極４と維持電極５との間で発光維持動作を行い、放電セル１２における維持電極５上の保護膜３の表面には正の壁電圧が蓄積され、走査電極４上の保護膜３の表面には負の壁電圧が蓄積されることで全ての発光維持動作を終了する。
【００３５】
次に、初期化期間、または維持期間の後の書き込み期間での書き込み動作は、維持ドライバ４００により全ての維持電極５に第１の電圧パルスである電圧Ｖｈ（Ｖ）を印加し、Ｖｈ（Ｖ）に保持する。その状態で、走査ドライバ３００により全ての走査電極４をＶｇ（Ｖ）に保持する。この時、電圧Ｖｈ（Ｖ）および電圧Ｖｇ（Ｖ）は、維持電極５と走査電極４との間の電圧差、またはデータ電極８と走査電極４との間の電圧差が、それぞれの電極間の放電開始電圧を超えない電圧である。その後、その都度、映像信号に応じてオンまたはオフする書き込みパルス電圧Ｖｄ（Ｖ）がデータドライバ２００により各データ電極８に印加され、この書き込みパルスに同期して複数の走査電極４に負のパルス電圧Ｖａ（Ｖ）が走査ドライバ３００により順に印加される。この時、サブフィールド中に表示すべき放電セル１２に対応したデータ電極８と走査電極４との間の電圧は、書き込みパルス電圧Ｖｄ（Ｖ）と電圧Ｖａ（Ｖ）の絶対値とを加算した電圧に書き込み期間の直前に初期化期間または維持期間においてデータ電極８と走査電極４とにそれぞれに蓄積された壁電圧が更に加算されたものとなる。これは放電開始電圧を超えるため、データ電極８と走査電極４との間に放電が起こる。また維持電極５と走査電極４との間の電圧は，維持電極５に印加された第１の電圧パルスである電圧Ｖｈ（Ｖ）と維持電極５上の保護膜３の表面の正の壁電荷と走査パルス電圧Ｖａ（Ｖ）に走査電極４上の保護膜３の表面の負の壁電荷が加算されたものの加算になるため、走査電極４と維持電極５との間にも放電が起こる。これによりデータ電極８と走査電極４との間および走査電極４と維持電極５との間に書き込み放電が起こり、走査電極４に蓄積されていた負の壁電圧、維持電極５に蓄積されていた正の壁電圧およびデータ電極８に蓄積されていた正の壁電圧がそれぞれ弱められる。したがって、後続の維持期間において維持電極５に維持パルス電圧Ｖｓ（Ｖ）を印加した場合でも維持電極５と走査電極４との間の電圧は放電開始電圧を超えないため発光維持動作は起こらない。この書き込み動作により初期化動作によって点灯セルに設定した放電セル１２は非点灯セルとなる。ここで、初期化動作または発光維持動作によって走査電極４と維持電極５との間の電圧は放電開始電圧に近い値になっているが、維持電極５に第１の電圧パルスである電圧Ｖｈ（Ｖ）を印加することによって、維持電極５を０（Ｖ）に保持している場合に比べて放電が容易となる。これにより、初期化期間の初期化動作によって各電極に十分な壁電荷が蓄積できなかった場合、または初期化期間または維持期間から時間的に遠く、放電ガスの活性状態が時間の経過に伴って弱まるために初期化動作または発光維持動作の直後に比べて徐々に放電し難い状態となる場合でも、走査電極４と維持電極５との間の電圧差を大きくすることができるため、走査電極４と維持電極５との間の放電を容易にし、書き込み不良、また書き込み不良による画質劣化を防止することができる。
【００３６】
図４に示す動作で駆動するＰＤＰでの階調表現方法を図５を用いて説明する。ＰＤＰは発光に際して放電現象を利用しているため、放電セル１２は点灯および非点灯の２つの状態しか持たない。従って中間調の階調表現を行うために１フィールドを複数のサブフィールドに分割し、それぞれのサブフィールドに発光輝度に対応した重み付けを行い、各フィールド毎に発光の有無を制御することで階調表現をしている。例えば図５に示すように、１フィールドを８つのサブフィールドに分割し、それぞれのサブフィールドＳＦ１からＳＦ８の発光輝度の重みを「１」、「２」、「４」、「８」、「１６」、「３２」、「６４」、「１２８」として配置する。階調「３」を表現する場合、ＳＦ１、ＳＦ２においては書き込み期間において書き込み動作を行わず、ＳＦ３における書き込み期間において書き込み動作を行う。これにより、ＳＦ１およびＳＦ２においてのみサブフィールドそれぞれの重みである「１」および「２」に相当する発光維持動作が行われ、階調「３」が表現される。また階調「１５」を表現する場合は、ＳＦ５においてのみ書き込み動作を行うことで階調「１５」に相当する発光維持動作が行われる。
【００３７】
ここで、初期化期間の直後に書き込み期間がある場合、図６に示すように、初期化期間に維持電極５に印加する初期化パルスの立ち上がりと、書き込み期間に維持電極５に印加する第１の電圧パルスである電圧Ｖｈ（Ｖ）の立ち上がりとを共通としても同様の効果を得ることができる。
【００３８】
また、維持電極５に印加する初期化期間の初期化パルスの立ち上がりと書き込み期間の第１の電圧パルスである電圧Ｖｈ（Ｖ）の立ち上がりの共通部分は図７および図８に示すようにランプ形状および異なる変化率の複数のランプ形状であっても同様の効果を得ることができる。またこれにより、第１の電圧パルスである電圧Ｖｈ（Ｖ）を印加した際に、走査電極４と維持電極５との間、または維持電極５とデータ電極８との間の電圧が放電開始電圧を超え、誤放電が発生した場合でも、その放電を微弱なものにできるため、誤放電が強放電の場合に比べて発光輝度の誤差またはコントラストの劣化による画質の劣化を防ぐことができる。
【００３９】
また、維持電極５に印加する、初期化期間の初期化パルスの立ち上がりと、書き込み期間での第１の電圧パルスである電圧Ｖｈ（Ｖ）の立ち上がりの共通部分は、図９に示すように指数関数的に変化する形状であっても同様の効果を得ることができる。これにより、ランプ電圧を印加する場合に比べて回路規模を小さくできるためシステムの構成を簡素化または安価にすることができる。
【００４０】
【発明の効果】
以上のように本発明によれば、書き込み期間での書き込み動作の信頼性を向上することができ、書き込み不良に起因すると考えられる画質の劣化を抑制することができるプラズマディスプレイパネルの駆動方法を提供することができる。
【図面の簡単な説明】
【図１】本発明の一実施の形態によるプラズマディスプレイパネルの駆動方法により駆動されるプラズマディスプレイパネルの概略構成を示す一部断面斜視図
【図２】本発明の一実施の形態によるプラズマディスプレイパネルの駆動方法により駆動されるプラズマディスプレイパネルを用いたプラズマディスプレイ表示装置の概略構成を示すブロック図
【図３】本発明の一実施の形態によるプラズマディスプレイパネルの駆動方法の１フィールドにおける駆動時間割構成を示す図
【図４】本発明の一実施の形態のプラズマディスプレイパネルの駆動方法における駆動波形を示す図
【図５】本発明の一実施の形態のプラズマディスプレイパネルの駆動方法における階調表現方法を示す図
【図６】本発明の他の実施の形態のプラズマディスプレイパネルの駆動方法における駆動波形を示す図
【図７】同じく、本発明の他の実施の形態のプラズマディスプレイパネルの駆動方法における駆動波形を示す図
【図８】同じく、本発明の他の実施の形態のプラズマディスプレイパネルの駆動方法における駆動波形を示す図
【図９】同じく、本発明の他の実施の形態のプラズマディスプレイパネルの駆動方法における駆動波形を示す図
【図１０】従来のプラズマディスプレイパネルの概略構成を示す一部断面斜視図
【図１１】従来のプラズマディスプレイパネルを用いたプラズマディスプレイ表示装置の概略構成を示すブロック図
【図１２】従来のプラズマディスプレイパネルの駆動方法の１フィールドにおける駆動時間割構成を示す図
【図１３】従来のプラズマディスプレイパネルの駆動方法における駆動波形を示す図
【図１４】従来のプラズマディスプレイパネルの駆動方法における階調表現方法を示す図
【符号の説明】
４  走査電極
５  維持電極
８  データ電極
１２  放電セル
１００  プラズマディスプレイパネル
２００  データドライバ
３００  走査ドライバ
４００  維持ドライバ
５００  サブフィールド変換手段
【図１】
2004170587.tif 000003
【図２】
2004170587.tif 000004
【図３】
2004170587.tif 000005
【図４】
2004170587.tif 000006
【図５】
2004170587.tif 000007
【図６】
2004170587.tif 000008
【図７】
2004170587.tif 000009
【図８】
2004170587.tif 000010
【図９】
2004170587.tif 000011
【図１０】
2004170587.tif 000012
【図１１】
2004170587.tif 000013
【図１２】
2004170587.tif 000014
【図１３】
2004170587.tif 000015
【図１４】
2004170587.tif 000016